(57)【特許請求の範囲】
【請求項１】
空気吸込口と空気吹出口を有する本体ケースと、圧縮機と放熱器と膨張器と吸熱器とを順に連結した冷凍サイクルにより前記本体ケース内の空気を除湿する除湿手段と、前記空気吸込口から吸い込んだ本体ケース外の空気を前記除湿手段を通過させた後に前記空気吹出口から本体ケース外に吹き出す送風機とを備え、前記除湿手段は、前記送風機によって空気吸込口から本体ケース内に吸い込んだ空気の一部分Ａを、前記吸熱器、第１通路、前記放熱器を介して前記空気吹出口から前記本体ケース外に吹き出す第１除湿経路と、前記送風機によって前記空気吸込口から吸い込んだ空気の他の部分Ｂを、第２通路、前記放熱器を介して前記空気吹出口から前記本体ケース外に吹き出す第２除湿経路と、前記第１通路を流れる空気と前記第２通路を流れる空気との間で熱交換する熱交換器とを備え、前記熱交換器は、薄板状の伝熱板を所定の間隔で複数枚積層し、前記伝熱板の積層間隙に室内空気と前記吸熱器出口空気を交互に流して前記第１通路と前記第２通路を形成し、前記伝熱板の各々を積層方向へ押し当てる収納部を備え、前記収納部は、ケースとカバーとを備え、前記ケースは、前記伝熱板の積層方向である第１の方向に対して対向した２つの側板部と、前記第１の方向に直交する第２の方向の一方側に設けた２つの前記側板部を連結するケース連結部とを備え、前記伝熱板を前記第１の方向に複数枚積層し、２つの前記側板部の間に複数の前記伝熱板が挟まれ、前記カバーによって、２つの前記側板部における第２の方向の他方側が連結されることを特徴とする除湿装置。
【請求項２】
前記側板部の間の寸法は、前記伝熱板を上方向に積層した積層完了寸法よりも小さい寸法であることを特徴とする請求項１記載の除湿装置。
【請求項３】
前記収納部は、前記吸熱器を保持する吸熱保持部を備えたことを特徴とする請求項１または２に記載の除湿装置。
【請求項４】
前記吸熱器は、上下方向に複数段設けられかつ前記第１の方向に複数回蛇行曲げされてなる吸熱冷媒管と、前記冷媒管の直管部に固定されかつ前記第１の方向に対して対向した板状の多数の吸熱フィンとを備え、前記吸熱保持部は、前記カバーの上部から前記第２の方向の他方側へ延びたカバー上板部分と、前記カバー上板部分における前記第１の方向の両端部から下方に延びたカバー保持板部分と、前記カバー保持板部分の下端にカバー切欠部分とを備え、前記カバー切欠部分に前記吸熱冷媒管が嵌る構成であることを特徴とする請求項３に記載の除湿装置。
【請求項５】
前記収納部は、前記放熱器を保持する放熱保持部を備えたことを特徴とする請求項１から４のいずれかに記載の除湿装置。
【請求項６】
前記放熱器は、上下方向に複数段設けられかつ前記第１の方向に複数回蛇行曲げされてなる放熱冷媒管と、前記冷媒管の直管部に固定されかつ前記第１の方向に対して対向した板状の多数の放熱フィンとを備え、前記放熱保持部は、前記ケースの上部から前記第２の方向の一方側へ延びたケース上板部分と、前記ケース板部分における前記第１の方向の両端部から下方に延びたケース保持板部分と、前記ケース保持板部分の下端にケース切欠部分とを備え、前記ケース切欠部分に前記放熱冷媒管が嵌る構成であることを特徴とする請求項５に記載の除湿装置。
【請求項７】
前記熱交換器は、前記伝熱板と一体形成した間隔リブによって前記伝熱板の積層間隔を保持し、前記カバーは、カバー連結部を前記カバーの第１通路を形成する開口に複数備え、前記間隔リブと前記カバー連結部および前記ケース連結部を通風方向において投影された位置に配置することを特徴とする請求項１から６のいずれかに記載の除湿装置。
【請求項８】
前記ケース連結部および前記カバー連結部は、前記熱交換器、前記吸熱器および前記放熱器に接触しないことを特徴とする請求項７記載の除湿装置。
【発明の詳細な説明】
【技術分野】
【０００１】
本発明は、居住空間などに用いられる除湿装置に関するものである。
【背景技術】
【０００２】
居住空間の湿度を低下させ、快適性を増すものとして除湿装置が実用化されている。
【０００３】
その構成としては、空気吸込口と空気吹出口を有する本体ケースと、この本体ケース内に設けられた除湿手段と、前記空気吸込口から吸い込んだ本体ケース外の空気を、前記除湿手段を通過させた後に、前記空気吹出口から本体ケース外に吹き出す送風機とを備えたものとなっている。
【０００４】
また、前記除湿手段は、圧縮機と放熱器と膨張器と吸熱器とを順次環状に連結した冷凍サイクルにより構成し、前記送風機によって空気吸込口から本体ケース内に吸い込んだ空気の一部分は、前記吸熱器、熱交換器の第１通路、放熱器を介して空気吹出口から本体ケース外に吹き出す構成とし、前記送風機によって空気吸込口から吸い込んだ空気の他の部分は、前記熱交換器の第２通路、放熱器を介して空気吹出口から本体ケース外に吹き出す構成となっている（例えば下記特許文献１）。
【先行技術文献】
【特許文献】
【０００５】
【特許文献１】実開昭５６−２０６２８号公報
【発明の概要】
【発明が解決しようとする課題】
【０００６】
上記従来例では、送風機によって空気吸込口から本体ケース内に吸い込んだ空気の一部分は、前記吸熱器で冷却させて結露させ、その後、熱交換器の第１通路、放熱器を介して空気吹出口から本体ケース外に吹き出す構成となっている。
【０００７】
また、前記送風機によって空気吸込口から吸い込んだ空気の他の部分は、前記熱交換器の第２通路を通過させ、放熱器を介して空気吹出口から本体ケース外に吹き出す構成となっている。
【０００８】
つまり、前記熱交換器の第２通路を通過する室内空気を、前記吸熱器から前記熱交換器の第１通路に流れる空気によって冷却し、ここでも結露させようとしている。
【０００９】
しかしながら、前記熱交換器内部での第１通路、第２通路の気密性が低く空気漏れが生じる場合には、各通路での必要風量が確保できず、除湿効率が低くなるという課題があった。
【００１０】
そこで、本発明は、熱交換器内部の第１通路と第２通路の気密性を高め、結果として除湿効率を高めた除湿装置を提供することを目的とするものである。
【課題を解決するための手段】
【００１１】
そして、本発明に係る除湿装置は、空気吸込口と空気吹出口を有する本体ケースと、圧縮機と放熱器と膨張器と吸熱器とを順に連結した冷凍サイクルにより前記本体ケース内の空気を除湿する除湿手段と、前記空気吸込口から吸い込んだ本体ケース外の空気を前記除湿手段を通過させた後に前記空気吹出口から本体ケース外に吹き出す送風機とを備え、前記除湿手段は、前記送風機によって空気吸込口から本体ケース内に吸い込んだ空気の一部分Ａを、前記吸熱器、第１通路、前記放熱器を介して前記空気吹出口から前記本体ケース外に吹き出す第１除湿経路と、前記送風機によって前記空気吸込口から吸い込んだ空気の他の部分Ｂを、第２通路、前記放熱器を介して前記空気吹出口から前記本体ケース外に吹き出す第２除湿経路と、前記第１通路を流れる空気と前記第２通路を流れる空気との間で熱交換する熱交換器とを備え、前記熱交換器は、薄板状の伝熱板を所定の間隔で複数枚積層し、前記伝熱板の積層間隙に室内空気と前記吸熱器出口空気を交互に流して前記第１通路と前記第２通路を形成し、前記伝熱板の各々を積層方向へ押し当てる収納部を備え、前記収納部は、ケースとカバーとを備え、前記ケースは、前記伝熱板の積層方向である第１の方向に対して対向した２つの側板部と、前記第１の方向に直交する第２の方向の一方側に設けた２つの前記側板部を連結するケース連結部とを備え、前記伝熱板を前記第１の方向に複数枚積層し、２つの前記側板部の間に複数の前記伝熱板が挟まれ、前記カバーによって、２つの前記側板部における第２の方向の他方側が連結されることを特徴とするものであり、これにより所期の目的を達成するものである。
【発明の効果】
【００１２】
以上により、熱交換器内部の第１通路と第２通路の気密性を高め、結果として除湿効率を高めた除湿装置を提供することができるものである。
【図面の簡単な説明】
【００１３】
【図１】本発明の実施の形態にかかる除湿装置の斜視図
【図２】本発明の実施の形態にかかる除湿装置のＡ−Ａ断面図
【図３】本発明の実施の形態にかかる除湿装置の吸熱器周辺の構成および風路の斜視図
【図４】本発明の実施の形態にかかる除湿装置の熱交換器の分解斜視図
【図５】本発明の実施の形態にかかる除湿装置の空気吸込口周辺の気流を示す上方図
【図６】本発明の実施の形態にかかる除湿装置の熱交換器周辺の分解斜視図
【図７】本発明の実施の形態にかかる除湿装置の吸熱器、熱交換器、放熱器周辺の構成図
【図８】本発明の実施の形態にかかる除湿装置のＢ−Ｂ断面図
【発明を実施するための形態】
【００１４】
本発明の実施の形態に係る除湿装置は、空気吸込口と空気吹出口を有する本体ケースと、圧縮機と放熱器と膨張器と吸熱器とを順に連結した冷凍サイクルにより前記本体ケース内の空気を除湿する除湿手段と、前記空気吸込口から吸い込んだ本体ケース外の空気を前記除湿手段を通過させた後に前記空気吹出口から本体ケース外に吹き出す送風機とを備え、前記除湿手段は、前記送風機によって空気吸込口から本体ケース内に吸い込んだ空気の一部分Ａを、前記吸熱器、第１通路、前記放熱器を介して前記空気吹出口から前記本体ケース外に吹き出す第１除湿経路と、前記送風機によって前記空気吸込口から吸い込んだ空気の他の部分Ｂを、第２通路、前記放熱器を介して前記空気吹出口から前記本体ケース外に吹き出す第２除湿経路と、前記第１通路を流れる空気と前記第２通路を流れる空気との間で熱交換する熱交換器とを備え、前記熱交換器は、薄板状の伝熱板を所定の間隔で複数枚積層し、前記伝熱板の積層間隙に室内空気と前記吸熱器出口空気を交互に流して前記第１通路と前記第２通路を形成し、前記伝熱板の各々を積層方向へ押し当てる収納部を備え、前記収納部は、ケースとカバーとを備え、前記ケースは、前記伝熱板の積層方向である第１の方向に対して対向した２つの側板部と、前記第１の方向に直交する第２の方向の一方側に設けた２つの前記側板部を連結するケース連結部とを備え、前記伝熱板を前記第１の方向に複数枚積層し、２つの前記側板部の間に複数の前記伝熱板が挟まれ、前記カバーによって、２つの前記側板部における第２の方向の他方側が連結されることを特徴とするものである。
【００１５】
これにより、伝熱板は積層方向に押し当てられながら前記収納部に入ることになり、押し当てられることで、前記第１通路と前記第２通路の気密性が向上し、風漏れが生じるのを抑制するので各通路での必要風量を確保することができ、除湿効率を向上することができる。また、２つの前記側板部が前記伝熱板を積層方向から挟み込む形となり、各々の伝熱板の押し当てを確実にすると共に、前記ケース連結部により、前記側板部同士を連結することにより、押し当ての反力による変形などを抑制し、確実に各々の伝熱板を押し当て続けることができるので、前記熱交換器の前記第１通路と前記第２通路の気密性が向上し、風漏れが生じるのを抑制するので各通路での必要風量を確保することができ、除湿効率を向上することができる。
【００１８】
また、本発明の実施の形態に係る除湿装置は、前記側板部の間の寸法は、前記伝熱板を上方向に積層した積層完了寸法よりも小さい寸法である。
【００１９】
これにより、前記側板部に積層した前記伝熱板を嵌め込むことにより、前記伝熱板はそれぞれ積層方向に押し当てられることになり、前記第１通路と前記第２通路の気密性が向上し、風漏れが生じるのを抑制するので各通路での必要風量を確保することができ、除湿効率を向上することができる。
【００２０】
また、本発明の実施の形態に係る除湿装置は、前記収納部は、前記吸熱器を保持する吸熱保持部を備えたことを特徴とするものである。
【００２１】
これにより、前期収納部に備える前記吸熱保持部で前記吸熱器をも保持することで、前記吸熱器と前記熱交換器の位置関係を確実に規定し気密性を高めることができ、前記吸熱器と前記熱交換器の間での風の侵入、流出などの漏れを抑制することにより、各要素への必要風量を確保することができ、除湿効率を向上することができる。
【００２２】
また、本発明の実施の形態に係る除湿装置は、前記吸熱器は、上下方向に複数段設けられかつ前記第１の方向に複数回蛇行曲げされてなる吸熱冷媒管と、前記冷媒管の直管部に固定されかつ前記第１の方向に対して対向した板状の多数の吸熱フィンとを備え、前記吸熱保持部は、前記カバーの上部から前記第２の方向の他方側へ延びたカバー上板部分と、前記カバー上板部分における前記第１の方向の両端部から下方に延びたカバー保持板部分と、前記カバー保持板部分の下端にカバー切欠部分とを備え、前記カバー切欠部分に前記吸熱冷媒管が嵌る構成である。
【００２３】
これにより、前記カバー切欠部分が前記吸熱器の前記吸熱冷媒管に嵌まり込み、前記吸熱器を前記収納部が固定することにより、前記吸熱器と前記熱交換器の位置関係を確実に規定し気密性を高めることができ、前記吸熱器と前記熱交換器の間での風の侵入、流出などの漏れを抑制することにより、各要素への必要風量を確保することができ、除湿効率を向上することができる。
【００２４】
また、本発明の実施の形態に係る除湿装置は、前記収納部は、前記放熱器を保持する放熱保持部を備えたことを特徴とするものである。
【００２５】
これにより、前記収納部に備える前記放熱保持部で前記放熱器をも保持することで、前記放熱器と前記熱交換器の位置関係を確実に規定し気密性を高めることができ、前記放熱器と前記熱交換器の間での風の侵入、流出などの漏れを抑制することにより、各要素への必要風量を確保することができ、除湿効率を向上することができる。
【００２６】
また、本発明の実施の形態に係る除湿装置は、前記放熱器は、上下方向に複数段設けられかつ前記第１の方向に複数回蛇行曲げされてなる放熱冷媒管と、前記冷媒管の直管部に固定されかつ前記第１の方向に対して対向した板状の多数の放熱フィンとを備え、前記放熱保持部は、前記ケースの上部から前記第２の方向の一方側へ延びたケース上板部分と、前記ケース上板部における前記第１の方向の両端部から下方に延びたケース保持板部分と、前記ケース保持板部分の下端にケース切欠部分とを備え、前記ケース切欠部分に前記放熱冷媒管が嵌る構成である。
【００２７】
これにより、前記ケース切欠部分が前記放熱器の前記放熱冷媒管に嵌まり込み、前記放熱器を前記収納部が固定することにより、前記放熱器と前記熱交換器の位置関係を確実に規定し気密性を高めることができ、前記放熱器と前記熱交換器の間での風の侵入、流出などの漏れを抑制することにより、各要素への必要風量を確保することができ、除湿効率を向上することができる。
【００２８】
また、本発明の実施の形態に係る除湿装置は、前記熱交換器は、前記伝熱板と一体形成した間隔リブによって前記伝熱板の積層間隔を保持し、前記カバーは、カバー連結部を前記カバーの第１通路を形成する開口に複数備え、前記間隔リブと前記カバー連結部および前記ケース連結部を通風方向において投影された位置に配置するものである。
【００２９】
これにより、通風抵抗となる前記間隔リブおよび、前記カバー連結部、前記ケース連結部を通風方向において投影された位置に配置することにより通風抵抗の増加を抑制することができ、風量の低下を抑制することができるので、除湿効率の低下を抑えることができる。
【００３０】
また、本発明の実施の形態に係る除湿装置は、前記カバー連結部および前記ケース連結部は、前記熱交換器、前記吸熱器および前記放熱器に接触しないものである。
【００３１】
これにより、前記圧縮機は、運転する際、振動を伴って駆動するが、その振動は冷媒配管を伝わり、前記吸熱器や前記放熱器にも伝播していくが、前記カバー連結部および前記ケース連結部が前記熱交換器、前記吸熱器、前記放熱器に接触しないので、振動の伝達を抑制し不快なビビリ音が発生するのを抑制することができる。
【００３２】
以下、添付図面を参照して、本発明の実施の形態につき説明し、本発明の理解に供する。なお、以下の実施の形態は、本発明を具体化した一例であって、本発明の技術的範囲を限定するものではない。また、全図面を通して同一の部位については同一の符号を付して説明を省略している。さらに、各図面において、本発明に直接には関係しない各部の詳細については説明を省略している。
【００３３】
（実施の形態１）
図１は、本実施の形態にかかる除湿装置３の斜視図である。
【００３４】
除湿装置３は、箱型の本体ケース１を備えており、該本体ケース１によって除湿装置３の内外を区別される。この本体ケース１の背面側には、当該背面に対して垂直方向から空気を吸い込む空気吸込口２が配置されている。また前記背面の逆側である前方側の上部には、空気吹出口４が配置されている。
【００３５】
空気吸込口２は、略矩形の吸込面を有する吸込口２ａと、この吸込口２ａの上部及び左右部の三辺を周回し下方に開部を向けた略コの字形状の吸込面を有する吸込口２ｂとを備えている。  図２は、本実施の形態にかかる除湿装置３の図１のＡ−Ａにおける断面図である。
【００３６】
本体ケース１内には、本体ケース１内に取り込まれた空気を除湿するための除湿手段５と、空気吸込口２から吸い込んだ本体ケース１外の空気を、除湿手段５を通過させた後に空気吹出口４から本体ケース１外に吹き出す送風機６とを設けている。
【００３７】
除湿手段５は、圧縮機７と放熱器８と膨張器９と吸熱器１０とを順に連結した冷凍サイクルを備えている。
【００３８】
本体ケース１内の空気吸込口２から空気吹出口４への空気通路における空気吸込口２側（空気の流れ方向上流側）に吸熱器１０を設け、空気吹出口４側（空気の流れ方向下流側）に放熱器８を設けている。
【００３９】
また、吸熱器１０と放熱器８の間には空間を設け、この空間に顕熱交換タイプの熱交換器１１を配している。
【００４０】
つまり、除湿手段５は、空気吸込口２から吸い込んだ空気の一部分Ａ、つまり吸込口２ａから吸い込んだ空気を、吸熱器１０、熱交換器１１における第１通路、放熱器８を介して空気吹出口４から本体ケース１外に吹出す第１除湿経路４１を備えている。
【００４１】
また、本体ケース１内に、空気吸込口２から吸熱器１０の周囲を通過することで吸熱器１０からの冷却効果を受け、熱交換器１１に至る予冷風路を設けている。
【００４２】
つまり、除湿手段５は、第１除湿経路４１に加えて、前記空気吸込口２から吸い込んだ空気の他の部分Ｂ、即ち吸込口２ｂから吸い込んだ空気を、予冷風路、熱交換器１１における第２通路、放熱器８を介して空気吹出口４から本体ケース１外へ吹出す第２除湿経路５１を備えている。なお、予冷風路の詳細については後述する。
【００４３】
熱交換器１１は、第１除湿経路内開口部１７と第２除湿経路内開口部１８とを備えている。
【００４４】
第１除湿経路内開口部１７は、吸熱器１０側の上流側開口部１７ａと、放熱器８側の下流側開口部１７ｂとより成る。つまり第１除湿経路内開口部１７は、第１除湿経路４１内に設けられ、上流側にて熱交換器１１と吸熱器１０とを、下流側にて熱交換器１１と放熱器８とを連結する。
【００４５】
第２除湿経路内開口部１８は、予冷風路側の上流側開口部１８ａと、集水手段１２ａ側（鉛直下向き方向）の下流側開口部３０とより成る。つまり第２除湿経路内開口部１８は、第２除湿経路５１内に設けられ、上流側にて予冷風路と熱交換器１１とを、下流側にて熱交換器１１と放熱器８の下部とを連結する。集水手段１２ａは漏斗状であり、吸熱器１０及び熱交換器１１の下方に設けている。さらに、集水手段１２ａの下方には集水タンク１２ｂを、本体ケース１に対して着脱自在に配置している。
【００４６】
つまり、吸熱器１０、熱交換器１１部分で結露をさせ、その結露水を漏斗状の集水手段１２ａで集めて集水タンク１２ｂに流入させるようにしている。
【００４７】
続いて、図３を参照しながら予冷風路の詳細構造について説明する。なお図３は、吸熱器周辺の構成および風路の斜視図である。
【００４８】
図３に示すように、予冷風路６０は、吸込口２ｂの側部を起点として吸熱器１０の側面及び熱交換器１１の側面を経由して上流側開口部１８ａに至る風路６０ａと、吸込口２ｂの上部を起点として吸熱器１０の上面を経由して上流側開口部１８ａに至る風路６０ｂとから成る。
【００４９】
吸熱器１０の周囲、即ち上面及び両側面には風路壁８１が設けられている。
【００５０】
風路壁８１は、さらに両側面については隣接する熱交換器１１の同両側面にまで延長されている。つまり風路壁８１は、吸熱器１０から熱交換器１１までの間において、第１除湿経路４１と予冷風路６０との間の通風を遮断し、即ち予冷風路６０の内周壁面（第１除湿経路側の側面）を形成している。また、予冷風路６０の外周壁面は、本体ケース１の内面により形成される。風路壁８１は、少なくとも吸熱器１０の周囲の部分については第１除湿経路４１と予冷風路６０との間の熱授受が可能な材質、例えば、１〜３ミリ程度の薄い樹脂板または金属板としている。
【００５１】
吸熱器１０は、直管部１０１ａと屈曲部１０１ｂとで構成された冷媒配管１０１を有している。直管部１０１ａは、冷媒配管１０１を流れる冷媒の熱を吸熱器１０を通過する空気に伝えるための、平板状の複数枚の金属で形成されたフィンを有している。
【００５２】
吸熱器１０の直管部１０１ａおよびフィンは、風路壁８１で囲まれた内部空間に配されている。つまり、第１除湿経路４１を通過する前記空気の一部分Ａが直管部１０１ａおよびフィンの部分を通過するように設けられている。
【００５３】
一方、吸熱器１０の屈曲部１０１ｂは、吸熱器１０を囲む風路壁８１から予冷風路６０に突出して配されている。つまり、第２除湿経路５１の予冷風路６０を通過する空気の他の部分Ｂが吸熱器１０の周囲の風路壁８１と屈曲部１０１ｂの配管外壁を通過するように設けられている。
【００５４】
続いて、図４を参照しながら熱交換器１１の詳細構造について説明する。なお図４は、熱交換器の分解斜視図である。
【００５５】
熱交換器１１は、図４に示すように縦向き風路を作る合成樹脂製の板体１３と、横向き風路を作る合成樹脂製の板体１４を交互に複数枚重合させた構成となっている。
【００５６】
また、縦向き風路を作る合成樹脂製の板体１３表面には、縦方向に延びたリブ１５が所定間隔で複数本、板体１３と一体に形成されている。リブ１５の一面が隣接する板体１４の背面と密着することで、板体１３の表面とリブ１５と板体１４の背面とで縦向き風路を形成している。
【００５７】
同様に、横向き風路を作る合成樹脂製の板体１４表面には、横方向に延びたリブ１６が所定間隔で複数本、板体１４と一体に形成されている。リブ１６の一面が隣接する板体１３の背面と密着することで、板体１４の表面とリブ１６と板体１３の背面とで横向き風路を形成している。
【００５８】
縦向き風路と横向き風路は、互いの風路空間が独立しており、即ち空気の往来が無い。
【００５９】
そして、このようにして構成された熱交換器１１は、略直方体形状となっており、対向する長辺側（図３における左右の辺）に示すように、第１除湿経路内開口部１７が形成され、また、対向する短辺側（図３における上下の辺）に第２除湿経路内開口部１８が形成されている。さらに短辺側の下流側開口部３０は、第１除湿経路４１、即ち水平面に対して傾斜しており、その傾斜方向は下流側開口部３０の開口面が放熱器８側に向かう方向である。
【００６０】
次に、主に図２を参照しながら除湿装置の動作について説明する。
【００６１】
前記送風機６を駆動することによって空気吸込口２から本体ケース１内に吸い込まれた空気（吸込口２ａから吸い込んだ空気の一部分Ａ）は、前記吸熱器１０、熱交換器１１の上流側開口部１７ａ及び横向きの第１通路を通過し、下流側開口部１７ｂから放熱器８に取り込まれる。その後放熱器８、送風機６を介して空気吹出口４から本体ケース１外に吹き出される。つまり吸込口２ａから吸い込んだ空気の一部分Ａは第１除湿経路４１を経由して本体ケース１外に吹き出される。
【００６２】
そして、このような経路で流れる空気の一部分Ａは、先ずは、吸熱器１０で冷却されるので、ここで結露が発生し、当該結露水は下方に滴下し、漏斗状の集水手段１２ａで集められ、集水タンク１２ｂに流入させられる。
【００６３】
また、結露水を落とした後の乾燥した空気Ａは、次に、熱交換器１１の上流側開口部１７ａから横向きの第１通路を通過し、下流側開口部１７ｂを経て、放熱器８、送風機６を介して空気吹出口４から本体ケース１外に吹き出される。このようにして、室内の湿度低下を果たすことができる。
【００６４】
一方、前記送風機６を駆動することによって空気吸込口２から本体ケース１内に吸い込まれた空気（吸込口２ｂから吸い込んだ空気の他の部分Ｂ）は、熱交換器１１の上流側開口部１８ａから縦向きの第２通路を通過し、下流側開口部３０、放熱器８、送風機６を介して空気吹出口４から本体ケース１外に吹き出される。つまり吸込口２ｂから吸い込んだ空気の他の部分Ｂは第２除湿経路５１を経由して本体ケース１外に吹き出される。なお下流側開口部３０は上述のように放熱器８側に向かって傾斜しているため、下流側開口部３０からでた空気Ｂはスムーズに放熱器８に流れる。
【００６５】
熱交換器１１の横向きの第１通路（空気の一部分Ａが通過する通路）と、縦向きの第２通路（空気の他の部分Ｂが通過する通路）が交差する構成となっているので、前記第１通路を流れる空気（空気の一部分Ａ）と、第２通路を流れる空気（空気の他の部分Ｂ）とは、熱交換を行うことが可能となっている。
【００６６】
ここで熱交換器１１の横向きの第１通路を流れる空気の一部分Ａは、吸熱器１０を通過することにより冷却されている。したがって、空気の一部分Ａは、熱交換器１１による熱交換作用により、吸熱器１０を通過していない第２通路を流れる空気の他の部分Ｂの温度を低下させることができる。
【００６７】
また、予冷風路６０を通過する空気の他の部分Ｂは、風路壁８１を介して吸熱器１０の冷却効果を受ける。さらに、屈曲部１０１ｂによる冷却効果も受ける。これは、屈曲部１０１ｂには室温よりも温度の低い冷媒が通過しているので、予冷風路６０に突出している吸熱器１０の屈曲部１０１ｂの外部の空気温度が低下するからである。これにより、予冷風路６０を通過する空気の他の部分Ｂの温度は、結露が生じる露点温度付近まで冷却される。
【００６８】
露点温度付近まで冷却された空気の他の部分Ｂは、熱交換器１１の第２通路に流入する。熱交換器１１に流入した空気の他の部分Ｂは、熱交換器１１の熱交換作用による冷却効果を受け、露点温度以下まで温度が下がる。露点温度以下まで下がった空気の他の部分Ｂは、熱交換器１１の第２通路にて結露を生じる。
【００６９】
ここで従来の構成では、熱交換器１１に流入する空気は室温であって露点温度まで空気を冷却しないと結露を生じないため、熱交換器１１による冷却が始まる熱交換器１１の空気入口（上流側開口部１８ａ）付近には結露を生じないものであった。しかし本実施の形態にかかる構成では、熱交換器１１の第２通路に流入する空気の他の部分Ｂは、予冷風路６０を通過することにより露点温度付近まで冷却されているので、熱交換器１１の第２通路の空気入口（上流側開口部１８ａ）においても結露を生じることができる。
【００７０】
それにより、熱交換器１１を通過する際に空気の他の部分Ｂが受ける冷熱の大部分を、前記空気の他の部分Ｂの顕熱除去ではなくて潜熱除去、すなわち結露に有効活用できるようになる。結果として、熱交換器１１における結露量を増加させることができるので、本実施の形態にかかる構成の除湿装置は、除湿効果をより高めることができるものである。
【００７１】
また、前記空気の他の部分Ｂが吸い込まれる吸込口２ｂを空気の一部分Ａが吸い込まれる吸込口２ａに隣接する外周側に設けている。したがって吸込口２ａに吸い込まれる空気の誘引効果により吸込口２ｂから吸い込まれる空気の流入量を増加させることができる。すなわち、図５に示すように、吸込口２ａに吸い込まれる空気流により本体ケース１の外部から吸込口２ａに向かう空気流９０が形成され、この空気流９０の周囲には空気の粘性により誘引される誘引流９１が形成される。この誘引流９１を吸込口２ａの外周側に設けた吸込口２ｂから吸込むことで第２除湿経路はより多くの空気を吸い込むことができる。したがって、第２除湿経路を通過する風量が増加し、熱交換器１１における結露量が増加するので、除湿効果をより高めることができる。また言い換えると、同一の除湿効果であれば除湿装置の小型化を図ることができる。
【００７２】
以上の説明により、基本的な構成及び動作が理解されたところで、具体的な構成について説明する。
【００７３】
図６は、本実施の形態にかかる除湿装置３の熱交換器１１周辺の分解斜視図である。図４、図６に示すように、熱交換器１１は、伝熱板である薄板状の板体１３、１４を所定の間隔で複数枚積層し、伝熱板の積層間隙に室内空気と吸熱器出口空気を交互に流して第１通路と第２通路を形成している。熱交換器１１は、伝熱板の各々を積層方向へ押し当てる収納部７０によって固定されている。
【００７４】
収納部７０は、具体的には、ケース７１とカバー７２とを備えている。
【００７５】
ケース７１は、２つの側板部７３と、ケース連結部７４とを備えている。２つの側板部７３は、伝熱板の積層方向（水平方向）である第１の方向に対して対向した縦長四角形の平板状であり、複数のケース連結部７４によって連結されている。ケース連結部７４は、第１の方向に延びる棒形状で、第１の方向に直交する第２の方向の一方側に設け、２つの側板部７３を連結する。複数のケース連結部７４の間が風路となる。ケース７１は、上から見ると第２の方向の他方側が開口したＵ字形状である。
【００７６】
カバー７２は、２つの枠部７５と、カバー連結部７６とを備えている。２つの枠部７５は、２つの側板部７３に対して対向した縦長四角形の平板状であり、複数のカバー連結部７６によって連結されている。カバー連結部７６は、第１の方向に延びる棒形状で、２つの枠部７５を連結する。複数のカバー連結部７６の間が風路となる。カバーは、ケースの２つの側板部７３における第２の方向の他方側にねじによって固定される。
【００７７】
熱交換器１１は、２つの側板部７３の間に伝熱板が第１の方向に複数枚積層した状態で挟まれ、カバー７２によって、２つの側板部７３における第２の方向の他方側が連結される。これにより、熱交換器１１が収納部７０内に固定される。
【００７８】
これにより、２つの側板部７３が伝熱板を積層方向から挟み込む形となり、各々の伝熱板の押し当てを確実にすると共に、ケース連結部７４により、側板部７３同士を連結することにより、押し当ての反力による変形などを抑制し、確実に各々の伝熱板を押し当て続けることができるので、熱交換器１１の第１風路と第２風路の気密性が向上し、風漏れが生じるのを抑制するので各通路での必要風量を確保することができ、除湿効率を向上することができる。
【００７９】
また、伝熱板は、一方面には凸部、他方面には凹部を備えている。伝熱板を積層すると、隣り合った伝熱板の凹部に凸部が入り込む構成である。積層完了寸法とは、伝熱板を上方向に積層し、重力によって隣り合った伝熱板の凹部に凸部が入り込んだ状態の寸法である。伝熱板は、薄板状の樹脂部品で軽量なので、伝熱板を上方向に積層しただけでは、凹部に凸部が完全に入り込まず、凹部と凸部との間に僅かではあるが隙間を有する。伝熱板の各々を積層方向へ押し当て、この隙間を低減するのが、収納部７０である。収納部７０の側板部７３の間の寸法は、伝熱板を上方向に積層した積層完了寸法よりも小さい寸法である。
【００８０】
これにより、側板部７３に積層した伝熱板を嵌め込むことにより、伝熱板はそれぞれ積層方向に押し当てられることになり、若干の変形を伴いながら、凹部に凸部が密着することができ、第１通路と第２通路の気密性が向上し、風漏れが生じるのを抑制するので各通路での必要風量を確保することができ、除湿効率を向上することができる。
【００８１】
図７は、本実施の形態にかかる除湿装置３の吸熱器、熱交換器、放熱器周辺の構成図である。図７に示すように、収納部７０は、吸熱器１０を保持する吸熱保持部７７を備えたものである。
【００８２】
吸熱器１０は、吸熱冷媒管７８と、吸熱フィン７９とを備えている。吸熱冷媒管７８は、上下方向に複数段設けられ、かつ第１の方向に複数回蛇行曲げされてなる冷媒配管であり、吸熱冷媒管７８における軸方向に対する垂直面での断面形状は、円筒形状である。吸熱冷媒管７８は、上下方向に複数段設けられ、本体ケース１における左右方向に延びた直管部１０１ａと、上下方向に隣り合った直管部１０１ａの端部を連通する屈曲部１０１ｂとを備えている。吸熱フィン７９は、縦長四角形状のアルミニウム製の薄板である。多数の吸熱フィン７９は、第１の方向に対して対向した状態で、吸熱冷媒管７８の直管部１０１ａに固定されている。
【００８３】
吸熱保持部７７は、カバー上板部分８０と、カバー保持板部分８９と、カバー切欠部分８２とを備えている。
【００８４】
カバー上板部分８０は、カバー７２の上部から第２の方向の他方側へ水平に延びた板形状である。カバー上板部分８０は、吸熱器１０における吸熱フィン７９の上端を覆うものである。上から見ると、カバー上板部分８０の前後、左右方向の寸法は、吸熱フィン７９の上端外周の前後、左右方向の寸法とほぼ同じである。
【００８５】
カバー保持板部分８９は、カバー上板部分８０における第１の方向の両端部から下方に延びた横長四角形の板形状である。カバー保持板部分８９は、吸熱器１０の吸熱フィン７９の本体ケース１における左右方向の上部を覆うものである。
【００８６】
カバー切欠部分８２は、カバー保持板部分８９の下端に設けた半円形状の切り欠きである。
【００８７】
吸熱保持部７７は、カバー切欠部分８２に吸熱冷媒管７８が嵌る構成である。
【００８８】
これにより、カバー切欠部分８２が吸熱器１０の吸熱冷媒管７８に嵌まり込み、吸熱器１０を収納部７０が固定することにより、吸熱器１０と熱交換器１１の位置関係を確実に規定し気密性を高めることができ、吸熱器１０と熱交換器１１の間での風の侵入、流出などの漏れを抑制することにより、各要素への必要風量を確保することができ、除湿効率を向上することができる。
【００８９】
また、収納部７０は、放熱器８を保持する放熱保持部８３を備えたものである。
【００９０】
放熱器８は、放熱冷媒管８４と、放熱フィン８５とを備えている。放熱冷媒管８４は、上下方向に複数段設けられ、かつ第１の方向に複数回蛇行曲げされてなる冷媒配管であり、放熱冷媒管８４における軸方向に対する垂直面での断面形状は、円筒形状である。放熱冷媒管８４は、上下方向に複数段設けられ、本体ケース１における左右方向に延びた直管部１０１ａと、上下方向に隣り合った直管部１０１ａの端部を連通する屈曲部１０１ｂとを備えている。放熱フィン８５は、縦長四角形状のアルミニウム製の薄板である。多数の放熱フィン８５は、第１の方向に対して対向した状態で、放熱冷媒管８４の直管部１０１ａに固定されている。
【００９１】
放熱保持部８３は、ケース上板部分８６と、ケース保持板部分８７と、ケース切欠部分８８とを備えている。
【００９２】
ケース上板部分８６は、ケース７１の上部から第２の方向の一方側へ水平に延びた板形状である。ケース上板部分８６は、放熱器８における放熱フィン８５の上端を覆うものである。
【００９３】
ケース保持板部分８７は、ケース上板部分８６における第１の方向の両端部から下方に延びた横長四角形の板形状である。ケース保持板部分８７は、放熱器８の放熱フィン８５の本体ケース１における左右方向の上部を覆うものである。
【００９４】
ケース切欠部分８８は、ケース保持板部分８７の下端に設けた半円形状の切り欠きである。
【００９５】
放熱保持部８３は、ケース切欠部分８８に放熱冷媒管８４が嵌る構成である。
【００９６】
これにより、ケース切欠部分８８が放熱器８の放熱冷媒管８４に嵌まり込み、放熱器８を収納部７０が固定することにより、放熱器８と熱交換器１１の位置関係を確実に規定し気密性を高めることができ、放熱器８と熱交換器１１の間での風の侵入、流出などの漏れを抑制することにより、各要素への必要風量を確保することができ、除湿効率を向上することができる。
【００９７】
図８は、本発明の実施の形態にかかる除湿装置３の図７のＢ−Ｂにおける断面図である。図４および図８に示すように、熱交換器１１は、伝熱板と一体形成した間隔リブであるリブ１５、１６によって伝熱板の積層間隔を保持している。特にリブ１６は、本体ケース１における前後方向で、送風方向に延びている。リブ１６とケース連結部７４およびカバー連結部７６を通風方向において投影された位置に配置している。
【００９８】
これにより、通風抵抗となる間隔リブおよび、カバー連結部７６、ケース連結部７４を通風方向において投影された位置に配置することにより通風抵抗の増加を抑制することができ、風量の低下を抑制することができるので、除湿効率の低下を抑えることができる。
【００９９】
また、ケース連結部７４およびカバー連結部７６は、熱交換器１１、吸熱器１０および放熱器８に接触しないものである。
【０１００】
これにより、圧縮機７は、運転する際、振動を伴って駆動するが、その振動は冷媒配管を伝わり、吸熱器１０や放熱器８にも伝播していくが、カバー連結部７６およびケース連結部７４が熱交換器１１、吸熱器１０、放熱器８に接触しないので、振動の伝達を抑制し不快なビビリ音が発生するのを抑制することができる。
【産業上の利用可能性】
【０１０１】
本発明にかかる除湿装置は、より高い除湿効果をもたらすものであるため、室内空気の除湿や衣類の乾燥用途として極めて有用なものである。
【符号の説明】
【０１０２】
１    本体ケース
２    空気吸込口
３    除湿装置
４    空気吹出口
５    除湿手段
６    送風機
７    圧縮機
８    放熱器
９    膨張器
１０    吸熱器
１１    熱交換器
１２ａ    集水手段
１２ｂ    集水タンク
１３    板体（伝熱板）
１４    板体（伝熱板）
１５    リブ
１６    リブ
１７    第１除湿経路内開口部
１７ａ    上流側開口部
１７ｂ    下流側開口部
１８    第２除湿経路内開口部
１８ａ    上流側開口部
３０    下流側開口部
４１    第１除湿経路
５１    第２除湿経路
６０    予冷風路
７０    収納部
７１    ケース
７２    カバー
７３    側板部
７４    ケース連結部
７５    枠部
７６    カバー連結部
７７    吸熱保持部
７８    吸熱冷媒管
７９    吸熱フィン
８０    カバー上板部分
８２    カバー切欠部分
８３    放熱保持部
８４    放熱冷媒管
８５    放熱フィン
８６    ケース上板部分
８７    ケース保持板部分
８８    ケース切欠部分
８９    カバー保持板部分
９０    空気流
９１    誘引流
１０１    冷媒配管
１０１ａ    直管部
１０１ｂ    屈曲部
【図１】
0006643569.tif 000002
【図２】
0006643569.tif 000003
【図３】
0006643569.tif 000004
【図４】
0006643569.tif 000005
【図５】
0006643569.tif 000006
【図６】
0006643569.tif 000007
【図７】
0006643569.tif 000008
【図８】
0006643569.tif 000009